(57)【特許請求の範囲】
【請求項１】
外筒と、該外筒内で軸方向に移動可能に配設されその先端が外筒より突出した先端スライダと、先端スライダの後方に配設されて先端スライダとの間で互いに離反する方向に付勢されたチャックと、チャックの外側に位置づけられチャックに強い締付力を付与すると共にチャックが相対的に前進するにつれてチャックへ弱い締付力を付与する締付リングと、先端スライダの先端からその先端が突出する固体状化粧料と、該固体状化粧料を保持すると共にチャックに挟持される化粧料ホルダと、先端スライダに固着され化粧料ホルダに接触して摩擦力を与える摩擦力付与部材と、前記チャックに対して遊びを持って連結される作動スライダと、外筒に接近・離反する方向に揺動可能に外筒周面部に取り付けられ外筒に接近したときに作動スライダを前進させる作動体と、外筒先端に着脱自在に装着されると共に装着された状態で作動体を外筒へ接近する方向へ押し付けるキャップと、を備えることを特徴とする固体状化粧料繰り出し容器。
【請求項２】
前記チャックには外径方向に突出する突出体が形成され、前記作動スライダには長手方向に伸びる溝孔が形成されており、該溝孔に前記突出体がはめ込まれることで、作動スライダがチャックに遊びを持って連結されることを特徴とする請求項１記載の固体状化粧料繰り出し容器。
【請求項３】
前記作動スライダは、外筒内において前記先端スライダの外周側に同心状に配設されており、先端スライダの先端部には、該先端スライダの前進を制限するべく外筒の先端部内面に当接可能な段面が形成されることを特徴とする請求項１または２記載の固体状化粧料繰り出し容器。
【発明の詳細な説明】
【０００１】
【発明の属する技術分野】
本発明は、アイライナー、アイブロウ、リップスティック等の固体状化粧料を繰り出す固体状化粧料繰り出し容器に関する。
【０００２】
【従来の技術】
従来、この種の固体状化粧料繰り出し容器としては、収納時には化粧料がケース内に収納されており、使用時にケースに対して操作部を回転することにより、化粧料がケースの開口より繰り出されるように構成されたものが知られている。
【０００３】
【発明が解決しようとする課題】
しかしながら、上記従来例では、化粧料が消耗したときに操作部を回転しなければならずその操作が煩わしいという問題がある。また、化粧料が回転しながらではなく、直進的に繰り出されるようにした場合には、化粧料を保持したり解放したりを繰り返す必要があり、化粧料のように軟らかい物の場合、化粧料に損傷を与えるおそれがあるという問題がある。
【０００４】
かかる問題点に鑑み、本出願人は、特願平９−２３７１４６号において、自動的且つ直進的に繰り出すことができ、なおかつ化粧料を損傷させることのない固体状化粧料繰り出し容器を提案している。本発明は、さらなる改良を図ったもので、化粧料が過分に繰り出されたときでも、元の適切な位置に戻すことができる固体状化粧料繰り出し容器を提供することをその目的とする。
【０００５】
【課題を解決するための手段】
上記目的を達成するために本発明のうち請求項１記載の発明では、外筒と、該外筒内で軸方向に移動可能に配設されその先端が外筒より突出した先端スライダと、先端スライダの後方に配設されて先端スライダとの間で互いに離反する方向に付勢されたチャックと、チャックの外側に位置づけられチャックに強い締付力を付与すると共にチャックが相対的に前進するにつれてチャックへ弱い締付力を付与する締付リングと、先端スライダの先端からその先端が突出する固体状化粧料と、該固体状化粧料を保持すると共にチャックに挟持される化粧料ホルダと、先端スライダに固着され化粧料ホルダに接触して摩擦力を与える摩擦力付与部材と、前記チャックに対して遊びを持って連結される作動スライダと、外筒に接近・離反する方向に揺動可能に外筒周面部に取り付けられ外筒に接近したときに作動スライダを前進させる作動体と、外筒先端に着脱自在に装着されると共に装着された状態で作動体を外筒へ接近する方向へ押し付けるキャップと、を備えることを特徴とする。
【０００６】
固体状化粧料使用中は化粧料を後方へ押圧する力が働くため、化粧料を保持する化粧料ホルダがチャックを後方へ押圧し、これによってチャックは締付リングから強い締付力を受ける。結果として化粧料ホルダはチャックによって強い力で挟持され、押し戻されることはない。
【０００７】
また、固体状化粧料が消耗していき先端スライダからの突出量が少なくなると、先端スライダが押圧されて付勢力に抗してチャックに接近するように後退する。このとき、化粧料を後方へ押す力を弱めるとチャックが締付リングに対して相対的に前進するのでその挟持力も弱まり、先端スライダが付勢力によってチャックから離れて前方へ戻る際に、先端スライダに固着された摩擦力付与部材の摩擦力によって化粧料ホルダが先端スライダに付随し、化粧料ホルダ及び化粧料が前方へ繰り出されることになる。
【０００８】
こうして、化粧料が自動的に且つ直進的に繰り出される。
【０００９】
化粧料が先端スライダから過分に繰り出された状態となったときに、キャップを装着すると、キャップが作動体を外筒へ接近する方向へ押し付ける。これにより、作動体は外筒へ接近して作動スライダを前進させ、作動スライダに連結されたチャックを前進させる。チャックが前進してその挟持力が弱まり、同時に装着されたキャップによって、突出していた化粧料が後方へ押し出され、化粧料及び化粧料ホルダが後方へ戻される。こうして、化粧料を元の適切な位置に戻すことができる。
【００１０】
また、請求項２記載の発明では、請求項１記載の発明において、前記チャックには外径方向に突出する突出体が形成され、前記作動スライダには長手方向に伸びる溝孔が形成されており、該溝孔に前記突出体がはめ込まれることで、作動スライダがチャックに遊びを持って連結されることを特徴とする。
【００１１】
突出体が溝孔にはめ込まれることで、通常使用時は作動スライダに対してチャックが前進、後退可能となって化粧料を繰り出すことができ、且つ、作動体によって作動スライダが前進させられたときに、突出体が溝孔の後端部に押し出されて、チャックを前進させることができる。
【００１２】
また、請求項３記載の発明は、請求項１または２記載のものにおいて、前記作動スライダは、外筒内において前記先端スライダの外周側に同心状に配設されており、先端スライダの先端部には、該先端スライダの前進を制限するべく外筒の先端部内面に当接可能な段面が形成されることを特徴とする。
【００１３】
作動スライダを先端スライダと同心状に配設することによって、互いに干渉することなく、作動スライダを外筒内に配設することができる。
【００１４】
【発明の実施の形態】
以下、図１ないし図７を用いて本発明の実施の形態を説明する。
【００１５】
図１において、繰り出し容器１０は、先筒１４と後筒１６とから構成される外筒１２を備えており、先筒１４と後筒１６とは、接続筒１８を介して螺着により連結されている。後筒１６の後端には、ブラシ２０の基端２０ａが圧入されており、ブラシ２０を保護する後部キャップ２２が後筒１６に着脱可能に装着されている。
【００１６】
図２及び図３に拡大して示したように、先筒１４の内部には筒状の先端スライダ２４が軸方向に移動可能に配設されていて、先端スライダ２４の先端が先筒１４の先口からある程度突出されている。この最大突出量は、先端スライダ２４の先端部に形成された前面に面する段面２４ａが先筒１４の先端部内面１４ａに当接することで決められている。また、先端スライダ２４の段面２４ａよりも前部２４ｂは、図４に示したように、非円形形状の外周形状をしており、同様に、先筒１４の先端部内面１４ａよりも前部１４ｂの内周形状は、先端スライダ２４の前部２４ｂに嵌合する非円形形状をしており、先端スライダ２４が先筒１４に対して回り止めされている。
【００１７】
先端スライダ２４の後内部には、後述の化粧料ホルダ３６に対して摩擦力を付与することによって該化粧料ホルダ３６を保持する摩擦力付与部材であるところの弾性パッキン２６が固着されている。
【００１８】
先端スライダ２４の後方には、チャックスプリング２８を介して該チャックスプリング２８により先端スライダ２４と互いに離反する方向へ付勢されたチャック３２が配設される。チャック３２の外面には、前記チャックスプリング２８の後端を受ける突出体３２ａが外径方向に突設されており、この突出体３２ａの後方は、全体的に外径が縮径されて行く一方でその縮径の途中には外径方向に膨出し、外表面が略球面状となった膨出部３２ｂが一体に形成されている。前記接続筒１８の先端には、膨出部３２ｂの外側に位置づけられるリング状の締付リング部１８ａが形成されており、締付リング部１８ａの内面は前方へ向かうにつれて漸次内径が大きくなるテーパ面１８ｂとなっている。前記膨出部３２ｂは、テーパ面１８ｂに対して摺接する。また、チャック３２の後部にはリブ３２ｄが形成されていて、該リブ３２ｄは接続筒１８の縦溝１８ｃに嵌合されて両者の回り止めが図られている。
【００１９】
チャック３２の先端内面には、化粧料ホルダ３６を挟持する挟持面３２ｃが形成されている。前記接続筒１８のテーパ面１８ｂは、膨出部３２ｂを介して挟持面３２ｃを内径方向に押圧し、これによってチャック３２の挟持面３２ｃが化粧料ホルダ３６を挟持することになる。
【００２０】
このようにしてチャック３２に挟持される化粧料ホルダ３６は、その先端においてアイライナ、アイブロウまたはリップスティックである固体状化粧料３８を保持しており、未使用状態での化粧料３８の全長とほぼ同じか、またはやや長い長さを持って、後筒１６内を伸びている。
【００２１】
また、化粧料３８を使用していないときに化粧料３８を保護するキャップ４０が先筒１４に着脱可能に装着されている。キャップ４０内には、化粧料３８の先端を損傷させることなく化粧料３８に当接するクッション材４２が設けられている。
【００２２】
先筒１４内には、先端スライダ２４の外周側に該先端スライダ２４と同心状に筒状の作動スライダ４４が配設されている。作動スライダ４４の先端部周面には、開口４４ａが形成されており、開口４４ａ前端縁部には、外径方向に突出する突出部４４ｂが形成されていて、突出部４４ｂの後面が外側を向くように傾斜したカム面４４ｃとなっている。さらに、作動スライダ４４の後端部には、軸方向に伸びる溝孔４４ｄが形成されており、前記チャック３２の突出体３２ａの先端が溝孔４４ｄに摺動可能にはめ込まれている。これによって、先端スライダ２４とチャック３２とは、溝孔４４ｄ内を突出体３２ａが前後方向に摺動するのを許容しつつ、その分の遊びを持って連結される。さらに、作動スライダ４４の先端部４４ｆは非円形形状をしており、同様に、先筒１４の内周形状がこの作動スライダ４４の先端部４４ｆに嵌合する非円形形状をしており、作動スライダ４４が先筒１４に対して回り止めされている。
【００２３】
先筒１４の周面部には、前記開口４４ａに対応して開口４４ａよりも大きい開口１４ｃが形成されており、開口１４ｃの後端内側に作動体４６の一端が支持されている。作動体４６は、該開口１４ｃを出入するようにして、先筒１４に対して接近・離間する方向に揺動可能となっており、その自由端には、カム面４４ｃと摺接するべく内側へ傾斜したカム面４６ａが形成されている。同様に作動体４６の自由端には、カム面４６ａに隣合って外側へ傾斜した傾斜面４６ｂが形成されており、この傾斜面４６ｂは、キャップ４０の内面先端に形成された傾斜面４０ａと摺接可能となっている。また、先端スライダ２４の前後方向中央付近には、一部断面が切り欠かれた縮小部２４ｃが形成されており、この縮小部２４ｃは、作動体４６が先筒１４に接近するべく揺動したときに、カム面４６ａの逃げ部となる（図２）。
【００２４】
作動スライダ４４は、作動スライダ４４の前後方向中央付近の中段面４４ｅと先筒１４との間に介挿された作動スプリング４８によって、後退位置へと付勢される。最大限、作動スライダ４４は、その後端が接続筒１８の先端に当接するまで後退することができる。
【００２５】
以上のように構成される固体状化粧料繰り出し容器１０の作用を説明する。
【００２６】
使用者がキャップ４０を取り外し化粧料３８を使用すると、化粧料３８には化粧料３８を後方へ押し戻そうとする力が作用する。この力はチャック３２を後方へ押圧する力となり、これによってチャック３２の膨出部３２ｂは接続筒１８のテーパ面１８ｂから締め付けられるため、結果として化粧料ホルダ３６はチャック３２によって強い力で挟持され、押し戻されることはない。
【００２７】
化粧料３８が消耗していき先端スライダ２４からの突出量が少なくなると、先端スライダ２４がチャックスプリング２８の弾性力に抗して押圧後退されるが、化粧料３８及び先端スライダ２４に与える力を弱めるとチャック３２の挟持力も弱まり、先端スライダ２４がチャックスプリング２８の弾性力によって前方へ戻る際に、先端スライダ２４に固着された弾性パッキン２６の摩擦力によって化粧料ホルダ３６が先端スライダ２４に付随し、化粧料ホルダ３６及び化粧料３８が前方へ繰り出されることとなる。この際に、弾性パッキン２６の摩擦力が、チャック３２の弱くなった挟持力に勝る必要があり、これによって、確実に化粧料３８が自動的に且つ直進的に繰り出される。
【００２８】
尚、この使用中、作動スライダ４４は作動スプリング４８の作用により、最後退位置である接続筒１８の先端に当接した位置にあり、また、チャック３２の突出体３２ａは作動スライダ４４の溝孔４４ｄ内を適宜、摺動している。
【００２９】
先端スライダ２４を後方へ押圧し、その押圧力を弱める、という手順を何回も繰り返すと、化粧料３８が先端スライダ２４からどんどん繰り出されて、過分に突出してしまうことがある。このような場合には、使用を止めて、キャップ４０を装着する。キャップ４０を装着していく過程で、キャップ４０の内面先端が作動体４６の自由端にまで到達すると、キャップ４０に形成された傾斜面４０ａが作動体４６の傾斜面４６ｂと摺接し、キャップ４０が作動体４６を先筒１４の方へ接近する方向へ押し付ける。これに連動して、作動体４６のカム面４６ａが作動スライダ４４のカム面４４ｃを摺動して、作動スプリング４８のバネ力に抗して作動スライダ４４を前進させる。作動スライダ４４が前進すると、その溝孔４４ｄの後端部がチャック３２の突出体３２ａを押し出してチャック３２を前進させるのでチャック３２の挟持力が弱まる。同時に、キャップ４０内に設けられたクッション材４２が化粧料３８を後方へ押し出すので、化粧料３８及び化粧料ホルダ３６は後方へと戻される。こうして、化粧料３８を元の適切な位置に戻すことができる。化粧料３８に直接触れることなく、キャップ４０を装着するだけで戻すことができるので、衛生的である。尚、化粧料３８が異常に繰り出された場合には、キャップ４０を装着していく過程で、キャップ４０の傾斜面４０ａが作動体４６の傾斜面４６ｂと係わり合う前に、クッション材４２が化粧料３８の先端に当接してしまうことが起こりうる。この場合には、指先で作動体４６を先筒１４の方へ押し付けて揺動させながら、キャップ４０を被せていけば、前記と同様の作用によりチャック３２の挟持力が弱まり、化粧料３８を後方へと戻すことができる。
【００３０】
この固体状化粧料繰り出し容器は、使い捨てとしても良いし、化粧料３８を交換可能としても良い。交換可能とする場合、例えば、後筒１６を接続筒１８から取り外して、接続筒１８の後方から、化粧料３８を保持した化粧料ホルダ３６を挿入することとしても良い。
【００３１】
以上のように、本実施の形態では、化粧料３８を直進的に繰り出すことができると共に、化粧料３８の消耗に応じて自動的に化粧料３８が繰り出されるため、繰り出しのための別途の操作が必要なく、使用しやすいものとなっている。また、化粧料３８を過分に繰り出し過ぎたときにも、キャップ４０を装着するだけで元の位置に戻すことができるので、衛生的且つ便利である。
【００３２】
また、化粧料３８は直進的に繰り出されるが、化粧料３８自体はチャック３２によって挟持されずに、その代わりに化粧料ホルダ３６がチャック３２によって挟持される形になっているため、化粧料３８をチャック３２によって損傷させることもない。
【００３３】
また、膨出部３２ｂがチャック３２に一体に形成されており、また、締付リング部１８ａが先筒１４と後筒１６の接続を行う接続筒１８と一体に形成されているため、少ない部品点数で、チャックと締付リング部の間での締付力の強弱を調整することができる。
【００３４】
【発明の効果】
以上説明したように、請求項１ないし３記載の発明によれば、先端スライダ、チャック及び締付リングの協働作用により、固体状化粧料と消耗に応じて固体状化粧料が自動的に繰り出されて行くために、繰り出しのための別途の操作が必要なく、使用しやすいという効果がある。また、固体状化粧料は直進的に繰り出されるが、固体状化粧料自体はチャックによって挟持されずに、その代わりに化粧料ホルダがチャックによって挟持されるため、固体状化粧料を損傷させることもない。
【００３５】
さらには、固体状化粧料を過分に繰り出しすぎた場合にも、キャップを装着するという簡単な操作で、固体状化粧料を自動的に元の適切な位置に戻すことができる。直接、化粧料に触れる必要がないため、衛生的である。
【００３６】
また、請求項２記載の発明によれば、通常の使用時には、チャックが作動スライダに対して前進、後退可能であり、化粧料を繰り出すことができ、且つ、作動体によって作動スライダが前進させられたときに、突出体が溝孔の後端部に押し出されて、チャックを前進させることができる。
【００３７】
また、請求項３記載の発明によれば、作動スライダを先端スライダと同心状に配設することによって、互いに干渉することなく、作動スライダを外筒内に配設することができる。また、先端スライダの先端部に外筒の先端部内面に当接可能な段面を形成することで、作動スライダと無関係に先端スライダの前進を制限することができる。
【図面の簡単な説明】
【図１】本発明の固体状化粧料ホルダの実施の形態を表す縦断面図である。
【図２】図１の要部拡大図である。
【図３】キャップを取り外した状態を示す図２相当図である。
【図４】図２の４−４線に沿って見た断面図である。
【図５】図２の５−５線に沿って見た断面図である。
【図６】図２の６−６線に沿って見た断面図である。
【図７】図２の矢印７方向から見たキャップは取り外した状態の部分側面図である。
【符号の説明】
１０  繰り出し容器
１２  外筒
１８ａ  締付リング部
２４  先端スライダ
２４ａ  段面
２６  弾性パッキン（摩擦力付与部材）
３２  チャック
３２ａ  突出体
３６  化粧料ホルダ
３８ 固体状化粧料
４０  キャップ
４４  作動スライダ
４４ｄ  溝孔
４６  作動体
【図１】
0003768021.tif 000002
【図２】
0003768021.tif 000003
【図３】
0003768021.tif 000004
【図４】
0003768021.tif 000005
【図５】
0003768021.tif 000006
【図６】
0003768021.tif 000007
【図７】
0003768021.tif 000008